(57)【要約】【課題】浴槽本体が空の状態において前方に傾倒するのを確実に防止できるステンレス浴槽を得る。【解決手段】底壁２および胴壁３を有するステンレス製の浴槽本体１において、底壁２の下面に主支持脚９を有する。胴壁３の上端開口周縁には、フランジ５が外方に向けて一体に張り出し形成されている。浴槽本体１の前面側を覆うステンレス製のエプロン６を備えている。フランジ５の内面側に、エプロン６の上端が溶接されている。エプロン６の下端には、上下高さが調節可能な補助支持脚１２を備えている。【選択図】　　　　図１
2004024634.tif 000002
【特許請求の範囲】
【請求項１】
底壁２および胴壁３を有するステンレス製の浴槽本体１において、底壁２の下面に主支持脚９を有し、
胴壁３の上端開口周縁にフランジ５が外方に向けて一体に張り出し形成されており、
浴槽本体１の前面側を覆うステンレス製のエプロン６を備えており、
フランジ５の内面側に、エプロン６の上端が固定されており、
エプロン６の下端に、上下高さが調節可能な補助支持脚１２を備えていることを特徴とする浴槽。
【請求項２】
エプロン６の上端が、フランジ５に溶接で固定されている請求項１記載の浴槽。
【発明の詳細な説明】
【０００１】
【発明の属する技術分野】
本発明は、据え置き型の浴槽に関し、前倒れ防止対策を講じたものである。
【０００２】
【従来の技術】
従来のステンレス浴槽は、底壁２および胴壁３を有する浴槽本体１をステンレス製にし、底壁２の下面に支持脚９を設け、胴壁３の開口周縁にフランジ５を外方に向けて一体に張り出し形成した形態になっている。また、浴槽本体１に、これの前面側を覆う化粧用のエプロン６を付設することも公知である。かかるステンレス浴槽は、浴槽本体１が支持脚９を介して浴室の床面Ｗに据え置かれる。
【０００３】
この種の据え置きタイプのステンレス浴槽において、浴槽本体１の軽量化とコンパクト化を図ろうとすると、左右横長にした浴槽本体１の前後幅寸法が小さくなる。その場合に、浴槽本体１が空の状態でフランジ５の前面部分に腰を降ろすなど体重を掛けたとき、浴槽本体１が前方に倒れ込むおそれがあった。
【０００４】
【発明が解決しようとする課題】
このような前倒れ防止対策として、従来は浴槽本体の支持脚を低い形にしたり、支持脚が広い面積で浴室の床面に着座できるうよにするなどの工夫が試みられてはいる。
【０００５】
しかし、スペース上の制約があるため、浴槽本体の前方に支持脚が大きく張り出す形態を採れない。そのため、浴槽本体を支持脚のみで支持する限りは、前倒れを完璧に防止し切れなかった。
【０００６】
そこで本発明の目的は、浴槽本体の前面に備えた化粧用のエプロンを利用して、浴槽本体が空のときでも前方への転倒を確実に防止できる浴槽を提供することにある。
【０００７】
【課題を解決するための手段】
本発明に係る浴槽は、底壁２および胴壁３を有するステンレス製の浴槽本体１において、底壁２の下面に主支持脚９を有し、胴壁３の上端開口周縁にフランジ５が外方に向けて一体に張り出し形成されており、浴槽本体１の前面側を覆うステンレス製のエプロン６を備えており、フランジ５の内面側に、エプロン６の上端が固定されており、エプロン６の下端に、上下高さが調節可能な補助支持脚１２を備えていることを特徴とする。エプロン６の上端は、フランジ５に溶接で固定することができる。
【０００８】
【作用】
本発明の浴槽を浴室の床面Ｗに設置するに際しては、浴槽本体１を床面Ｗに主支持脚９を介して据え置く。そのうえで、エプロン６側の補助支持脚１２の上下高さを調節し、補助支持脚１２の下端を浴室の床面Ｗで受け止める。
【０００９】
使用に際し、浴槽本体１に加わる荷重は、主支持脚９で受けることになる。ステンレス製のエプロン６は、これ自体が十分な強度を有する。浴槽本体１のフランジ５の内面にエプロン６の上端が溶接されていると、浴槽本体１にエプロン６が確りと固定されることになる。エプロン６の下端の補助支持脚１２は、浴槽本体１の主支持脚９よりも前方外側に位置している。
【００１０】
【発明の効果】
かかる本発明によれば、浴槽が空の状態でフランジ５の前面部分に人が乗るなどしても、エプロン６の補助支持脚１２の突っ張り作用で浴槽本体１が前方に傾倒するのを確実に規制できる。従って本発明は、浴槽本体１が左右横長で軽量化とコンパクト化とを図り、浴室の床面Ｗに据え置かれるタイプのステンレス浴槽において、特に有意義である。
【００１１】
【発明の実施の形態】
図１ないし図５は本発明に係るステンレス浴槽の実施例を示しており、ステンレス製（ＳＵＳ３０４）の浴槽本体１は平面視において左右横長であって、浴室の床面Ｗに据え置かれる。
【００１２】
浴槽本体１は、図１および図２に示すごとく、底壁２と、これから立ち上がる胴壁３とを有し、胴壁３の上端開口周縁から外側へフランジ５が一体に張り出し形成されている。フランジ５は、図３に示すごとく胴壁３につながる水平状の上面部５ａと、上面部５ａにつながる垂下部５ｂと、垂下部５ｂにつながり胴壁３側に折り返された下面部５ｃとを有する断面コ字形状に形成されている。
【００１３】
浴槽本体１の前面には、化粧用のエプロン６を備えている。エプロン６は、１．０ｍｍ厚のステンレス板（ＳＵＳ３０４）を曲げ加工して得られ、図５に示すごとく浴槽本体１の前面外側を左右間にわたって覆う主面板６ａと、主面板６ａの左右端から後方に折り曲げられて浴槽本体１の左右側面の前端部の外側を覆う側面板６ｂ・６ｂとからなる。
【００１４】
エプロン６は、図３に示すごとくこれの上端に受け片７を後方に向けて水平状に折り曲げ、フランジ５の上面部５ａの下側内面を該受け片７で受け止め、エプロン６の上端部の外面をフランジ５の下面部５ｃの突端に当て付けて溶接してある。符号Ｐがその溶接箇所を示す。
【００１５】
浴槽本体１の下面には、四隅に主支持脚９がそれぞれ溶接で固定されている。各主支持脚９は、これの下端に設けた合成ゴム製のキャップ１０を介して浴室の床面Ｗに受け止められる。浴室の床面Ｗに浴槽本体１を主支持脚９で受け止めた状態において、エプロン６の下端は、図４に示すごとく浴槽本体１の底壁２よりも下方に位置して床面Ｗとの間に僅かな作業隙間が生じている。
【００１６】
エプロン６の下端には、止め片１１を内向きに折り曲げ形成してあり、主面板６ａにおける止め片１１に、上下高さが調節可能な補助支持脚１２を取り付け、エプロン６の下端が補助支持脚１２を介して浴室の床面Ｗに受け止められるようになっている。
【００１７】
エプロン６の主面板６ａにおける止め片１１には、図５に示すごとく左右端寄りの合計２箇所に挿通孔１３を設けるとともに、図４に示すごとく各挿通孔１３まわりの上面にナット部材１５を溶接してある。各補助支持脚１２は、床面Ｗと接触するボルト１６の下端部位が樹脂被覆されている。なお、ボルト１６の下端に、ステンレス製の座板１７を溶接し樹脂被覆を施してもよく、ゴム板を貼り付けてもよいし、補助支持脚１２は全体が樹脂製でもよい。ボルト１６の下端に硬質ゴムないし合成樹脂からなる座板１７が一体にインサート成形されたものでもよい。
【００１８】
通常は、エプロン６の主面板６ａにおける止め片１１の左右端寄りの２箇所に補助支持脚１２を取り付ける。すなわち、補助支持脚１２は、そのボルト１６を下方から前記挿通孔１３に通してナット部材１５に螺合する。ボルト１６には予めロックナット１８を螺合しておき、ナット部材１５の弛み止めを図る。ナット部材１５に対するボト１６のねじ込み量を加減することにより、補助支持脚１２の上下高さは床面Ｗの状況に合わせて任意に調節できる。これにより、座板１７を浴室の床面Ｗで受け止める。
【００１９】
補助支持脚１２は、これの取り付け使用状態において、主支持脚９よりも約４０ｍｍ前方に位置し得る。その結果、浴槽が空の状態において補助支持脚１２は浴槽本体１が前方に傾くのを確実に阻止する。
【００２０】
補助支持脚１２の高さ調節手段は、図示例に限られず、任意に選択できる。浴室の状況により、補助支持脚１２は、１本でもよいし、３本または４本用いることもできる。
【図面の簡単な説明】
【図１】本発明に係る浴槽の側面図
【図２】浴槽の使用状態を示す斜視図
【図３】図１におけるＡ部の拡大断面図
【図４】図１におけるＢ部の拡大断面図
【図５】浴槽の底面図
【符号の説明】
１　浴槽本体
２　底壁
３　胴壁
５　フランジ
６　エプロン
９　主支持脚
１２　補助支持脚
Ｗ　浴室の床面
【図１】
2004024634.tif 000003
【図２】
2004024634.tif 000004
【図３】
2004024634.tif 000005
【図４】
2004024634.tif 000006
【図５】
2004024634.tif 000007